(57)【特許請求の範囲】
【請求項１】
遊技結果に応じて遊技媒体が払い出される遊技機であって、
図柄が変動表示される表示部と、
前記図柄が停止したときに前記表示部に所定の図柄が表示されると、前記遊技媒体が払い出される払出口と、
前記払出口から払い出された遊技媒体を収容可能に設けられ、底部と、当該底部の前側において上方に立ち上がった左右方向に長い壁部とを少なくとも有する受け皿と
を備え、
前記受け皿は、
遊技媒体を収容可能な収容箱を遊技者が支え続けることなく、当該収容箱と前記受け皿との間で、遊技媒体の出し入れを行いうるように、当該収容箱を保持しうる保持部を、前記壁部に有し、
前記保持部は、
前記収容箱の縁部を挿入できるように、開口縁としての上側面と下側面とを有して左右方向に沿ってのびるとともに、前記収容箱の縁部が挿入された状態において、当該収容箱の縁部と前記下側面とが当接する当接箇所を支点とする当該収容箱の回転を、当該収容箱の縁部と前記上側面とが当接することにより阻止しうる溝部であり、
前記溝部には、当該溝部に前記収容箱の縁部が挿入された状態で当該収容箱を左右方向のうち一の方向に移動させたときに、当該縁部が当該溝部に挟持されるように、前記上側面と前記下側面との距離が前記一の方向の端部に向けて徐々に狭くなるテーパ部が形成されている
ことを特徴とする遊技機。
【請求項２】
前記上側面と前記下側面とのうちいずれか一方の面に、ゴムシートが備えられている
請求項１に記載の遊技機。
【請求項３】
前記上側面と前記下側面との両方の面に、ゴムシートが備えられている
請求項１に記載の遊技機。
【発明の詳細な説明】
【技術分野】
【０００１】
本発明は遊技機に関し、具体的にはメダルを収容する受皿に関する。
【背景技術】
【０００２】
遊技機に備えたメダル用の受皿（以下「メダル受皿」と呼ぶ。）と、メダルの搬入または搬出のために一時的に収容する収容箱（いわゆるドル箱）との間で、メダルの出し入れを容易にするための技術が既に開示されている（例えば特許文献１，２を参照）。
【特許文献１】特開２００１−２７６３１５（第３頁，図４）
【特許文献２】特開２００３−２６５８０５（第２−３頁，図２−３）
【発明の開示】
【発明が解決しようとする課題】
【０００３】
上述した技術によれば、遊技者は収容箱の縁（鍔やリブを含む。以下同じ。）をメダル受皿の突条部に引っ掛けた状態でメダルの出し入れを行う。メダル受皿に突条部があると、払い出し口付近に山のようになったメダルをならす等では、突条部に手が当たったり、突条部に袖が引っ掛かり易くなるなどの弊害があった。このような弊害を無くして安全性を高めるには突条部を面取りすればよいが、収容箱の縁は幅が狭いために突条部から外れやすく、面取りを行う余地はない。
また特許文献１の技術では、収容箱の縁を単にメダル受皿の突条部に乗せているだけであるので、遊技者は片手で収容箱を支え続ける必要があった。メダルの出し入れを行う間も収容箱が動き得るので、収容箱とメダル受皿との間にできる隙間にメダルが挟まったり、次第にずれていった縁が突条部から外れて収容箱がひっくり返ることもあった。
さらに特許文献２の技術では、収容箱の縁を鉤状に形成する必要があり、直線状に形成された縁を有する収容箱は突条部に引っ掛けることができなかった。
【０００４】
本発明はこのような点に鑑みてなしたものであり、次の目的のうちで少なくとも一つを達成可能な受皿を有する遊技機を提供する。すなわち第１の目的は、受皿に突条部を設けることなく収容箱を受皿に引っ掛けられるようにすることである。第２の目的は、遊技者が収容箱を支え続けなくてもメダルの出し入れをできるようにすることである。第３の目的は、収容箱の縁の形状にかかわりなく受皿に引っ掛けられるようにすることである。
【課題を解決するための手段】
【０００５】
請求項１に記載の遊技機は、遊技結果に応じて遊技媒体が払い出される遊技機であって、図柄が変動表示される表示部と、前記図柄が停止したときに前記表示部に所定の図柄が表示されると、前記遊技媒体が払い出される払出口と、前記払出口から払い出された遊技媒体を収容可能に設けられ、底部と、当該底部の前側において前方に突出する凸部を有することなく上方に立ち上がった左右方向に長い壁部とを少なくとも有する受け皿とを備え、前記受け皿は、遊技媒体を収容可能な収容箱を遊技者が支え続けることなく、当該収容箱と前記受け皿との間で、遊技媒体の出し入れを行いうるように、前方に突出する凸部を有しないながらも当該収容箱を保持しうる保持部を、前記壁部に有し、前記保持部は、前記収容箱の縁部を挿入できるように、開口縁としての上側面と下側面とを有して左右方向に沿ってのびるとともに、前記収容箱の縁部が挿入された状態において、当該収容箱の縁部と前記下側面とが当接する当接箇所を支点とする当該収容箱の回転を、当該収容箱の縁部と前記上側面とが当接することにより阻止しうる溝部であり、前記溝部には、当該溝部に前記収容箱の縁部が挿入された状態で当該収容箱を左右方向のうち一の方向に移動させたときに、当該縁部が当該溝部に挟持されるように、前記上側面と前記下側面との距離が前記一の方向の端部に向けて徐々に狭くなるテーパ部が形成されていることを要旨とする。
請求項２に記載の遊技機は、請求項１に記載の遊技機において、前記上側面と前記下側面とのうちいずれか一方の面に、ゴムシートが備えられていることを要旨とする。
請求項３に記載の遊技機は、請求項１に記載の遊技機において、前記上側面と前記下側面との両方の面に、ゴムシートが備えられていることを要旨とする。
【０００６】
（１）課題を解決するための手段（以下では単に「解決手段」と呼ぶ。）１は、メダルを収容する受皿を有する遊技機であって、前記受皿の前側には、当該前側の長手方向に沿って横向きに所定の開口幅からなる溝部を有することを要旨とする。
解決手段１によれば、溝部は所定の開口幅からなり、溝部の内壁が収容箱の縁を挟持（支持）することで当該縁が溝部に係合するので、従来のような突条部を設けることなく収容箱を受皿に引っ掛けることができる。当該所定の開口幅は収容箱の縁の厚みよりも広い幅であって、例えば１０ミリメートルよりも大きな幅が該当する。よって、遊技者は手で収容箱を支えなくてもメダルの出し入れを行える。また収容箱の縁は受皿の溝部に係合可能な形状であればよいので、鉤状であっても直線状であっても収容箱を受皿に引っ掛けられるようになる。なおメダルに代えて、コインやトークン等も適用可能である。
【０００７】
（２）解決手段２は、解決手段１に記載した遊技機であって、溝部には、前記溝部の端部に近付くにつれて開口幅が小さくなるようなテーパー部を有することを要旨とする。
【０００８】
解決手段２によれば、溝部の端部に近付くにつれて開口幅が短く（狭く）なる。溝部の開口幅が収容箱の縁の厚みよりも大きいとき、溝部の端部に向けて収容箱をスライドさせると、当該収容箱の縁が溝部に挟まって固定される。したがって、遊技者は手で収容箱を支えなくてもメダルの出し入れが容易に行える。
【０００９】
（３）解決手段３は、解決手段１または２に記載した遊技機であって、溝部は、遊技機本体側に向けて上り傾斜させた傾斜面からなる上側面と、遊技機本体側に向けて下り傾斜させた傾斜面からなる下側面とのうちで、一方または双方の傾斜面を有することを要旨とする。
【００１０】
解決手段３によれば、溝部の上側面を遊技機本体側に向けて上り傾斜させると、当該上側面と係合させた収容箱の縁にかかる上側面との接触面積が大きくなる（言い換えれば摩擦力が増える）ので、係合させた収容箱が溝部からずり落ちる可能性が低くなる。また溝部の下側面を遊技機本体側に向けて下り傾斜させると、通常では前下がりに傾斜させた状態で収容箱を溝部に引っ掛ける際に差し込み易くなる。また下側面と受皿の前側との角度が鋭角になるので、収容箱の縁が鉤状が形成されていた場合には引っ掛かり易くなる。したがって、遊技者は手で収容箱を支えなくてもメダルの出し入れが容易に行える。
【００１１】
（４）解決手段４は、解決手段１から３のいずれか一項に記載した遊技機であって、溝部を形成する上側面および下側面のうちで一方または双方の面には、ゴムシートを備えることを要旨とする。
【００１２】
解決手段４によれば、ゴムシートは摩擦係数が高いので、当該ゴムシートと接触する収容箱は溝部からずり落ちる可能性が低くなる。したがって、遊技者は手で収容箱を支えなくてもメダルの出し入れが容易に行える。本例では、ゴムシートを滑り止め部材として例示したが、ビニールシート等のように摩擦係数の高いものや、一時的に粘着が可能な高分子部材などを適用しても同様の作用効果が得られる。
【００１３】
（５）解決手段５は、解決手段１から４のいずれか一項に記載した遊技機であって、溝部を形成する上側面および下側面のうちで一方または双方の面を非平面で形成する構成としたことを要旨とする。
【００１４】
解決手段５によれば、溝部の上側面や下側面を非平面（すなわち凹凸がある面）にすると、当該非平面と収容箱の縁にかかる面と摩擦力が増えるので、係合させた収容箱が溝部からずり落ちる可能性が低くなる。したがって、遊技者は手で収容箱を支えなくてもメダルの出し入れが容易に行える。なお摩擦力が大きいほど望ましいので、ヤスリのようなギザギザな面にしたり、円錐形状や四角錐形状等のような突起を有する面にするとよい。
【００１５】
（６）解決手段６は、解決手段５に記載した遊技機であって、非平面は、溝部の縁または当該縁の近傍に突起部を備える構成としたことを要旨とする。
【００１６】
解決手段６によれば、溝部の縁または当該縁の近傍に備えた突起部は、収容箱の縁にかかる上側面や、鉤状に形成した縁を引っ掛け易くなる。したがって、遊技者は手で収容箱を支えなくてもメダルの出し入れが容易に行える。
【００１７】
（７）解決手段７は、解決手段６に記載した遊技機であって、突起部は、当該突起部の一部を切り欠いた切欠部を有することを要旨とする。
【００１８】
解決手段７によれば、切欠部から収容箱の縁を通すようにして、収容箱の縁を受皿の溝部に差し込む。その後に収容箱を少しスライドさせると、差し込んだ収容箱の縁が突起部に引っ掛かって係合する。この引っ掛かりによって収容箱は受皿からずり落ちることはないので、遊技者は手で収容箱を支えなくてもメダルの出し入れが容易に行える。
【００１９】
（８）解決手段８は、解決手段１から７のいずれか一項に記載した遊技機であって、溝部に対応する受皿の内壁を平滑な面で形成したことを要旨とする。
【００２０】
解決手段８によれば、受皿の内壁が平滑な面（平面または曲面）で形成すれば、受皿から収容箱にメダルを掻き出す際には、引っ掛かりがなくスムーズに行える。
【００２１】
（９）解決手段９は、解決手段１から８のいずれか一項に記載した遊技機であって、溝部に対応する受皿の内壁を遊技機本体側に向かって下り傾斜させる構成としたことを要旨とする。
【００２２】
解決手段９によれば、受皿の内壁を遊技機本体側に向かって下り傾斜させる（言い換えれば遊技者側に向かって上り傾斜させる）と、受皿の内壁がほぼ直立している場合に比べて、受皿から収容箱にメダルを移し易くなる。
【００２３】
（１０）解決手段１０は、解決手段１から９のいずれか一項に記載した遊技機であって、受皿とは別体に形成した溝部を前記受皿に取り付ける構成としたことを要旨とする。
【００２４】
解決手段１０によれば、溝部を受皿とは別体に形成し、受皿は溝部を取り付け可能な構造（一度取り付けると取り外せない構造や、何度も交換可能な構造）に形成する。溝部の剛性が受皿よりも高く形成すると、当該溝部を受皿に取り付けた後は受皿全体の剛性を高めることができる。溝部に様々の意匠を施すことにより、別体に形成した溝部を変更するだけで意匠の変更を実現できるので、意匠の変更コストを安く抑えることができる。
【発明の効果】
【００２５】
本発明によれば、従来のように受皿に突条部を設けるまでもなく、収容箱を受皿に引っ掛けることができる。
【発明を実施するための最良の形態】
【００２６】
次に、本発明を実施するための最良の形態について、実施例に従って説明する。
【実施例１】
【００２７】
実施例１は、遊技機の一つであるスロットマシンに本発明を適用した例である。当該実施例１は図１〜図３を参照しながら説明する。ここで図１には、スロットマシンの構成例を斜視図で示す。メダル受皿の構成例を示す図２では、図２（Ａ）に拡大斜視図を示し、図２（Ｂ）に正面図を示し、図２（Ｃ），図２（Ｄ），図２（Ｅ）にそれぞれ断面図を示す。メダル受皿に収容箱を引っ掛ける例を示す図３では、図３（Ａ）に斜視図を示し、図３（Ｂ）に断面図を示す。なお前後については、遊技者側を前側とし、スロットマシン本体側を奥側として説明する。また上下左右については、図面の記載に従って説明する。
【００２８】
〔スロットマシンの概略構成〕
図１に示すスロットマシン１０は、スロット遊技が行えるように構成されている。すなわち、初めは貸出機から貸し出したメダルをメダル受皿２２に入れる。このメダル受皿２２は、受皿に相当する。そして、投入口１８からメダルを投入するか、あるいはクレジットから引き出すべくベットボタン３２を操作すると遊技可能な状態になり、始動レバー３０を操作してリール１４（本例では三つのリール）を回転させ始める。回転しているリールに対応して停止ボタン２８をそれぞれ操作すると、リール１４が停止する。こうして停止したリール１４によって表示部１６に所定の図柄（一図柄または複数の図柄の組み合わせ）が表示されると、表示された図柄に対応した枚数のメダルが賞品として払出口２０からメダル受皿２２に払い出される。なお、液晶表示器１２には遊技や遊技場（ホール）等に関連する情報が適宜に表示される。
【００２９】
〔メダル受皿の第１構成例〕
本発明は、上述したスロットマシン１０に備えたメダル受皿２２に溝部２４を備えた点である。溝部２４の構成例について、図２を参照しながら説明する。図２（Ａ）や図２（Ｂ）に示すように、溝部２４は収容箱３６（図３を参照）の縁を引っ掛けられるように構成する。すなわちメダル受皿２２の前側（すなわち遊技者側）であって、かつ前側の長手方向に沿って横向きに設ける。メダル受皿２２の前面は、平面であってもよく、曲面であってもよく、装飾等を施した凹凸のある面であってもよい。収容箱３６をほぼ水平に挟持するには、正面からみた溝部２４をほぼ水平状に設けるのが望ましい。
一般的な収容箱３６の縁（リブを含む）は、水平方向に８〜１０ミリメートルあり、高さ方向に６〜１０ミリメートルある。そのため、溝部２４の開口幅は１０〜１５ミリメートル程度あれば十分である。
【００３０】
メダル受皿２２と溝部２４との関係について、断面形状を異ならせた図２（Ｃ），図２（Ｄ），図２（Ｅ）を参照しながら説明する。
まず図２（Ｃ）には、メダル受皿２２の内壁２２ａを段差状に形成し、段差により壁の厚みが増えて窪ませ得る部位（下部）の前側に溝部２４を設けた例を示す。この段差状断面によれば、溝部２４を設ける空間を確実に確保することができ、メダル受皿２２で貯留可能なメダルの枚数を増やすことができる。
図２（Ｄ）には、メダル受皿２２の内壁２２ａを傾斜面（傾斜させた平滑な面）で形成し、ある程度の壁の厚みになった部位の前側に溝部２４を設けた例を示す。内壁２２ａの傾斜面は、スロットマシン本体側に向かって下り傾斜させていることから、逆に言えば遊技者側に向かって上り傾斜している。
図２（Ｅ）には、メダル受皿２２とは別体にカバー部材３４を形成し、当該カバー部材３４をメダル受皿２２に取り付けた例を示す。図示するように、溝部２４はカバー部材３４の一部として構成する。カバー部材３４をメダル受皿２２に取り付けるための構造は、一度取り付けると取り外せない構造としてもよく、何度も交換可能な構造としてもよい。これらの具体的な構造については、ネジ止めやツメによる結合等が考えられるが、その他公知の方法を用いてもよい。溝部２４を有するメダル受皿２２を成型する金型には抜き勾配が必要となるが、別体のカバー部材３４に溝部２４を備える場合にはメダル受皿２２を成型する金型で抜き勾配を考慮する必要がないため、低コストで金型を作製できる。また、カバー部材３４の前面に様々の意匠を施すことにより、カバー部材３４を変更するだけで意匠の変更を実現できるので、意匠の変更コストを安く抑えることができる。
【００３１】
メダル受皿２２に備えた溝部２４の利用方法について、図３を参照しながら説明する。メダル受皿２２と収容箱３６との間でメダルを出し入れする際には、図３（Ａ）に示すように収容箱３６の縁３６ａを溝部２４に差し込むようにして係合させる（矢印Ｄ２方向で示す）。こうして縁３６ａを溝部２４に係合させた状態を図３（Ｂ）に示す。当該図３（Ｂ）には、遊技者が収容箱３６を手で持って差し込んだ直後の状態を二点鎖線で示し、遊技者が収容箱３６から手を離した状態を実線で示す。このように遊技者が収容箱３６から手を離しても溝部２４の内壁が縁３６ａを挟持するので、収容箱３６はずり落ちない。
【００３２】
遊技者が手を離しても溝部２４に差し込んだ収容箱３６がずり落ちないための条件について、図４を参照しながら説明する。当該図４には、上述した図３（Ｂ）を一部拡大するとともに、断面を表すハッチを省略して示す。収容箱３６の縁３６ａが溝部２４に挟持（支持）されるためには、次に示す条件のいずれかを満たせばよいと考えられる。
なお図４に示すように、溝部２４の開口部上端を位置Ｐ２とし、開口部下端を位置Ｐ６とし、収容箱３６の端が上側面２４ａに接する部位を位置Ｐ４とし、収容箱３６の側壁がメダル受皿２２の表面に接する部位を位置Ｐ８とする。
【００３３】
（第１条件）
位置Ｐ６と位置Ｐ２との間を距離Ｌ２（すなわち開口幅に相当する）とし、位置Ｐ６と位置Ｐ４との間を距離Ｌ４とするとき、距離Ｌ４が距離Ｌ２よりも長くなることが第１条件となる。すなわち収容箱３６の縁３６ａを溝部２４に差し込んだ後は矢印Ｄ４方向（本例では左回り）に回転するので、支点となる位置Ｐ６を中心とする回転を考えればよい。このときＬ４＞Ｌ２であれば、必ず収容箱３６の縁３６ａが上側面２４ａに接することになり、当該縁３６ａが溝部２４に挟持される。
（第２条件）
位置Ｐ８と位置Ｐ２との間を距離Ｌ６とし、位置Ｐ８と位置Ｐ４との間を距離Ｌ８とするとき、距離Ｌ８が距離Ｌ６よりも長くなることが第２条件となる。収容箱３６の回転方向は上述した第１条件と同じであるので、支点となる位置Ｐ８を中心とする回転を考えればよい。このときＬ８＞Ｌ６であれば、必ず収容箱３６の縁３６ａが上側面２４ａに接することになり、当該縁３６ａが溝部２４に挟持される。
【００３４】
〔実施例１の効果〕
上述した実施例１によれば、以下に示す各効果を得ることができる。
（ａ１）メダル受皿２２の前側には、当該前側の長手方向に沿って横向きの溝部２４を備えた｛図１，図２を参照｝。溝部２４の内壁が収容箱３６の縁３６ａを挟持（支持）することで縁３６ａが溝部２４に係合するので、従来のような突条部を設けることなく収容箱３６をメダル受皿２２に引っ掛けることができる。よって、遊技者は手で収容箱３６を支えなくてもメダルの出し入れを行える。また収容箱３６の縁３６ａはメダル受皿２２の溝部２４に係合可能な形状であればよいので、鉤状であっても直線状であっても収容箱３６をメダル受皿２２に引っ掛けられるようになる。
【００３５】
（ａ２）溝部２４に対応するメダル受皿２２の内壁２２ａを平滑な面で形成した｛図２（Ｄ）を参照｝。内壁２２ａを平滑な面（平面または曲面）で形成すれば、メダル受皿２２から収容箱３６にメダルを掻き出す際には、引っ掛かりがなくスムーズに行える。
【００３６】
（ａ３）溝部２４に対応するメダル受皿２２の内壁２２ａをスロットマシン１０本体側に向かって下り傾斜させる構成とした｛図２（Ｄ）を参照｝。内壁２２ａをスロットマシン１０本体側に向かって下り傾斜させると、当該内壁２２ａがほぼ直立している場合に比べて、メダル受皿２２から収容箱３６にメダルを移し易くなる。
【００３７】
（ａ４）メダル受皿２２に取り付け可能なカバー部材３４を別体に形成し、当該カバー部材３４に溝部２４を備える構成とした｛図２（Ｅ）を参照｝。溝部２４を含めたカバー部材３４に様々の意匠を施すことにより、機種に見合うカバー部材３４をメダル受皿２２に取り付けたり、交換することができる。このようにカバー部材３４を変更するだけで意匠の変更を実現できるので、意匠の変更コストを安く抑えることができる。
【実施例２】
【００３８】
実施例２は実施例１と同様にスロットマシン１０に本発明を適用した例であって、メダル受皿の構成例を示す図５を参照しながら説明する。図５（Ａ）には拡大斜視図を示し、図５（Ｂ）には正面図を示す。なおスロットマシン１０の構成等は実施例１と同様であり、図示と説明を簡単にするため、実施例２では実施例１と異なる点について説明する。よって実施例１で用いた要素と同一の要素には同一の符号を付して説明を省略する。
【００３９】
〔メダル受皿の第２構成例〕
図５に示すメダル受皿２２が図２と異なるのは、溝部２４にテーパー部２４ｃを設けた点である。当該テーパー部２４ｃでは、溝部２４の右端部に近付くにつれて開口幅が小さくなっている。溝部２４の開口幅は二点鎖線で示す収容箱３６の縁３６ａの厚みよりも大きいことから、溝部２４の内壁によって縁３６ａを挟持できたとしても、収容箱３６は遊技者側に大きく傾いてしまう。このような場合には、縁３６ａを溝部２４に差し込んだ後、溝部２４の右端部に向けて（図では矢印Ｄ６方向に）収容箱３６をスライドさせる。こうすれば、収容箱３６の縁３６ａが開口幅が狭まった溝部２４に挟まって固定される。
【００４０】
なお、本例のテーパー部２４ｃは溝部２４の右端部に近付くにつれて開口幅が小さくなるように構成したが、溝部２４の左端部に近付くにつれて開口幅が短くなるように構成してもよく、溝部２４の両端部に近付くにつれて各々開口幅が短くなるように構成してもよい。いずれにせよ開口幅が狭まった溝部２４で縁３６ａを挟持して固定できる。
【００４１】
〔実施例２の効果〕
上述した実施例２によれば、以下に示す各効果を得ることができる。
（ｂ１）溝部２４には、当該溝部２４の端部に近付くにつれて開口幅が小さくなるようなテーパー部２４ｃを備えた｛図５を参照｝。収容箱３６の縁３６ａを溝部２４に差し込んだ後、当該収容箱３６を溝部２４の端部に向けてスライドさせると、開口幅が狭まった溝部２４に縁３６ａが挟まって固定される。したがって、遊技者は手で収容箱３６を支えなくてもメダルの出し入れが容易に行える。
【００４２】
（ｂ２）その他の要件，構成，作用等については実施例１と同様であるので、当該実施例１と同様の効果を得ることができる｛上述した事項（ａ１）〜（ａ４）を参照｝。
【実施例３】
【００４３】
実施例３は実施例１と同様にスロットマシン１０に本発明を適用した例であって、メダル受皿の構成例を示す図６を参照しながら説明する。図６（Ａ）には拡大斜視図を示し、図６（Ｂ）には正面図を示す。なお実施例１との相違を中心に説明する点については、上述した実施例２と同様である。
【００４４】
〔メダル受皿の第３構成例〕
図６に示すメダル受皿２２が図２と異なるのは、溝部２４における下側面２４ｂの縁（メダル受皿２２の前側）に突起部２４ｄを設けた点である。本例では６つの突起部２４ｄを設けたが、必要に応じて調整した数（１または複数）を設ければよい。
例えば収容箱３６にかかる縁３６ａの端部はリブを備えた鉤状になっていることが多く、縁３６ａを溝部２４に差し込んだ後に手を離すと、当該リブが突起部２４ｄに引っ掛かり易くなる。また、縁３６ａの高さと溝部２４の開口幅とがほとんど同じ場合には、縁３６ａと突起部２４ｄ（下側面２４ｂ）との間に摩擦力が増える。いずれにせよ、係合させた収容箱３６が溝部２４からずり落ちる可能性が低くなる。
なお、二点鎖線で図示するようにテーパー部２４ｃをさらに設ければ、開口幅が狭まった溝部２４によって縁３６ａを挟持して固定することができる。
【００４５】
〔実施例３の効果〕
上述した実施例３によれば、以下に示す各効果を得ることができる。
（ｃ１）溝部２４を形成する下側面２４ｂに突起部２４ｄを設けて非平面に構成した｛図６を参照｝。溝部２４の下側面２４ｂを非平面にすると、当該非平面と収容箱３６の縁３６ａにかかる面と摩擦力が増えるので、係合させた収容箱３６が溝部２４からずり落ちる可能性が低くなる。本例では突起部２４ｄを設けた下側面２４ｂを非平面で構成したが、上側面２４ａを非平面で構成してもよい。いずれの面を非平面に構成するにせよ、遊技者は手で収容箱３６を支えなくてもメダルの出し入れが容易に行える。
【００４６】
（ｃ２）非平面は、溝部２４の縁に突起部２４ｄを備える構成とした｛図６を参照｝。突起部２４ｄは、鉤状に形成した収容箱３６の縁３６ａを引っ掛け易くなる。本例では下側面２４ｂに突起部２４ｄを設けたが、上側面２４ａに突起部２４ｄを設けてもよい。いずれの面に突起部２４ｄを設けるにせよ、縁３６ａが引っ掛けやすくなるので、遊技者は手で収容箱３６を支えなくてもメダルの出し入れが容易に行える。
【００４７】
（ｃ３）その他の要件，構成，作用等については実施例１と同様であるので、当該実施例１と同様の効果を得ることができる｛上述した事項（ａ１）〜（ａ４）を参照｝。
【実施例４】
【００４８】
実施例４は実施例１と同様にスロットマシン１０に本発明を適用した例であって、メダル受皿の構成例を示す図７を参照しながら説明する。図７（Ａ）には拡大斜視図を示し、図７（Ｂ）には正面図を示す。なお実施例１との相違を中心に説明する点については、上述した実施例２，３と同様である。
【００４９】
〔メダル受皿の第４構成例〕
図７に示すメダル受皿２２が図２と異なるのは、溝部２４における下側面２４ｂの縁（メダル受皿２２の前側）に突起部２４ｅを設け、かつ当該突起部２４ｅの一部を切り欠いた切欠部２４ｆを設けた点である。本例では３つの切欠部２４ｆを設けたが、１つ設けもよく、複数設けてもよい。上述のように構成した溝部２４では、切欠部２４ｆからメダル受皿２２の縁を通すと、当該縁（具体的にはリブ）が突起部２４ｅに引っ掛かって係合するので、収容箱３６が溝部２４からずり落ちることはない。
なお、二点鎖線で図示するようにテーパー部２４ｃをさらに設ければ、開口幅が狭まった溝部２４によって縁３６ａを挟持して固定することができる。
【００５０】
〔実施例４の効果〕
上述した実施例４によれば、以下に示す各効果を得ることができる。
（ｄ１）突起部２４ｅは、当該突起部２４ｅの一部を切り欠いた切欠部２４ｆを備えた｛図７を参照｝。縁３６ａの下面に凸片を有する収容箱３６であっても、切欠部２４ｆから凸片を通して、収容箱３６の縁３６ａをメダル受皿２２の溝部２４に差し込んで係合させることができる。収容箱３６をスライドさせると凸片が突起部２４ｅに引っ掛かるので、収容箱３６はメダル受皿２２からずり落ちることはない。したがって、遊技者は手で収容箱３６を支えなくてもメダルの出し入れが容易に行える。
【００５１】
（ｄ２）その他の要件，構成，作用等については実施例１と同様であるので、当該実施例１と同様の効果を得ることができる｛上述した事項（ａ１）〜（ａ４）を参照｝。また、溝部２４を形成する下側面２４ｂに突起部２４ｅを設けて非平面に構成した点や、溝部２４の縁に突起部２４ｅを備える構成とした点については、実施例３と同様の効果を得ることができる｛上述した事項（ｃ１），（ｃ２）を参照｝。
【実施例５】
【００５２】
実施例５は実施例１と同様にスロットマシン１０に本発明を適用した例であって、メダル受皿２２の断面構成例を図示した図８を参照しながら説明する。当該図８には、溝部２４を構成する内壁にかかる９つの形態例を示す。なお実施例１との相違を中心に説明する点については、上述した実施例２〜４と同様である。
【００５３】
〔第１形態〕
図８（Ａ）に示す第１形態の溝部２４は、上側面２４ａおよび下側面２４ｂの双方をほぼ水平状な面となるように構成している。当該第１形態は単純な構造をしているので、設計や製造が簡単に行える。
【００５４】
〔第２形態〕
図８（Ｂ）に示す第２形態の溝部２４は、上側面２４ａを奥行き方向（図面では右方向）に角度θで上り傾斜させた傾斜面で構成し、下側面２４ｂをほぼ水平状な面で構成する。収容箱３６の縁３６ａを溝部２４に差し込んだ後に遊技者が手を離すと、図３（Ｂ）に示すように収容箱３６の前方側（同図では左側）が下がる。このように収容箱３６の前方側が下がった状態では、上側面２４ａと縁３６ａの上面との接触面積が増えて、双方の面の間で摩擦力が増す。したがって、差し込んだメダル受皿２２が溝部２４からずり落ち難くなる。
【００５５】
〔第３形態〕
図８（Ｃ）に示す第３形態の溝部２４は、上側面２４ａをほぼ水平状な面で構成し、下側面２４ｂのみを奥行き方向に角度θで下り傾斜させた傾斜面で構成する。溝部２４におけるメダル受皿２２の前面側は鋭角になり、収容箱３６の縁３６ａは鉤状になっていることが多いので、当該縁３６ａが鋭角部位に引っ掛かり易くなる。したがって、差し込んだメダル受皿２２が溝部２４からずり落ち難くなる。
【００５６】
〔第４形態〕
図８（Ｄ）に示す第４形態の溝部２４は、上側面２４ａを奥行き方向に角度θ１で下り傾斜させた傾斜面で構成し、下側面２４ｂを奥行き方向に角度θ２で下り傾斜させた傾斜面で構成する。角度θ１，θ２の大小関係は任意である。上側面２４ａを下り傾斜させているので、収容箱３６の縁３６ａを係合させる際には当該縁３６ａの上面が上側面２４ａに接触し易くなる。すなわち収容箱３６の縁３６ａを溝部２４に差し込んだ後に遊技者が手を離すと、図３（Ｂ）に示す収容箱３６よりは前方側（同図では左側）の下がりが少なくなる。また上述した第３形態と同様に下側面２４ｂを下り傾斜させており、収容箱３６の縁３６ａは鉤状になっていることが多いので、当該縁３６ａが鋭角部位に引っ掛かり易くなる。したがって、差し込んだメダル受皿２２が溝部２４からずり落ち難くなる。
【００５７】
〔第５形態〕
図８（Ｅ）に示す第５形態の溝部２４は、上側面２４ａを奥行き方向に角度θ１で上り傾斜させた傾斜面で構成し、下側面２４ｂを奥行き方向に角度θ２で下り傾斜させた傾斜面で構成する。当該第５形態では、上述した第２形態と第３形態とを合わせた構造をなしているので、これらの形態で得られる作用効果を得ることができる。
【００５８】
〔第６形態〕
図８（Ｆ）に示す第６形態の溝部２４は、上側面２４ａを奥行き方向に角度θで下り傾斜させた傾斜面で構成し、下側面２４ｂをほぼ水平状な面で構成する。上側面２４ａは単に下り傾斜させるだけでなく、ゴムシート２４ｇを備える。このゴムシート２４ｇは摩擦係数が高いので、係合によって当該ゴムシート２４ｇと接触する収容箱３６は溝部２４からずり落ちる可能性が低くなる。本例では滑り止め部材としてゴムシート２４ｇを用いたが、ビニールシート等のように摩擦係数の高いものや、一時的に粘着が可能な高分子部材などを用いた場合でも同様の作用効果が得られる。またゴムシート２４ｇを上側面２４ａのみに備えたが、下側面２４ｂのみに備えてもよく、上側面２４ａおよび下側面２４ｂの双方に備えてもよい。いずれにせよ、差し込んだメダル受皿２２が溝部２４からずり落ち難くなる。
【００５９】
〔第７形態〕
図８（Ｇ）に示す第７形態の溝部２４は、上側面２４ａをギザギザ状のヤスリ面２４ｈで構成し、下側面２４ｂをほぼ水平状な面で構成する。ヤスリ面２４ｈは、上述した第６形態のゴムシート２４ｇと同様に摩擦係数が高い。したがって、第６形態と同様の作用効果を得ることができる。
【００６０】
〔第８形態〕
図８（Ｈ）に示す第８形態の溝部２４は、上側面２４ａをほぼ水平状な面で構成し、下側面２４ｂにはレール状の凸部２４ｉを備えて構成する。当該凸部２４ｉは図７に示す突起部２４ｅと同等の形状であるが、切欠部２４ｆがない点が異なる。収容箱３６の縁３６ａは鉤状になっていることが多いので、当該縁３６ａが凸部２４ｉに引っ掛かり易くなる。したがって、差し込んだメダル受皿２２が溝部２４からずり落ち難くなる。
【００６１】
〔第９形態〕
図８（Ｉ）に示す第９形態の溝部２４は、上側面２４ａをほぼ水平状な面で構成し、下側面２４ｂには溝部２４と同じ長さの溝からなる凹部２４ｊを備えて構成する。収容箱３６の縁３６ａは鉤状になっていることが多いので、当該縁３６ａを溝部２４に差し込んだ後に手を離すと、当該縁３６ａが凹部２４ｊに引っ掛かる。したがって、差し込んだメダル受皿２２が溝部２４からずり落ち難くなる。
【００６２】
〔実施例５の効果〕
上述した実施例５によれば、以下に示す各効果を得ることができる。
（ｅ１）溝部２４は、奥行き方向に（すなわちスロットマシン１０本体側に向けて）上り傾斜させた傾斜面からなる上側面２４ａと、奥行き方向に下り傾斜させた傾斜面からなる下側面２４ｂとのうちで、一方または双方の傾斜面を備える構成とした｛図８（Ｂ），図１０（Ｃ），図８（Ｄ），図８（Ｅ），図８（Ｆ）を参照｝。上側面２４ａを上り傾斜させると、当該上側面２４ａと収容箱３６の縁３６ａにかかる上側面との接触面積が大きくなる（言い換えれば摩擦力が増える）ので、係合させた収容箱３６が溝部２４からずり落ちる可能性が低くなる。また下側面２４ｂを下り傾斜させると、当該下側面２４ｂとメダル受皿２２の前側との角度は鋭角になり、収容箱３６の縁３６ａは鉤状になっていることが多いので、当該縁３６ａが引っ掛かり易くなる。したがって、遊技者は手で収容箱３６を支えなくてもメダルの出し入れが容易に行える。また、溝部２４の下側面２４ｂが奥行き方向に下り傾斜していると、通常では前下がりに傾斜させた状態で収容箱３６を溝部２４に引っ掛ける際に差し込み易くなる。
【００６３】
（ｅ２）溝部２４を形成する上側面２４ａには、ゴムシート２４ｇを備えた｛図８（Ｆ）を参照｝。ゴムシート２４ｇは摩擦係数が高いので、収容箱３６は溝部２４からずり落ちる可能性が低くなる。したがって、遊技者は手で収容箱３６を支えなくてもメダルの出し入れが容易に行える。
【００６４】
（ｅ３）その他の要件，構成，作用等については実施例１と同様であるので、当該実施例１と同様の効果を得ることができる｛上述した事項（ａ１）〜（ａ４）を参照｝。
【００６５】
〔他の実施例〕
以上、本発明を実施するための最良の形態について実施例に従って説明したが、本発明は当該実施例に何ら限定されるものではない。言い換えれば、本発明の要旨を逸脱しない範囲内において、種々なる形態で実施することが可能である。例えば、次に示す各形態を実現してもよい。
【００６６】
（ｆ１）実施例１〜５では、スロットマシン１０に本発明を適用した。この形態に代えて、スロットマシン以外の他の遊技機（例えばアレンジボール機や雀球遊技機など）であって、かつメダルを収容するメダル受皿２２を備えたものにも同様に本発明を適用することができる。当該他の遊技機であっても、従来のように突条部を設けるまでもなく、収容箱３６をメダル受皿２２（具体的には溝部２４）に引っ掛けることができる。
【００６７】
（ｆ２）実施例５では、ゴムシート２４ｇを上側面２４ａに備えた｛図８（Ｆ）を参照｝。この形態に代えて、図９に示すように上側面２４ａおよび下側面２４ｂの双方に弾性部材２４ｋ（例えばゴム等）を備えたので、収容箱３６の縁３６ａを挟持することができる。また、縁３６ａの厚み（高さ）に違いがある収容箱３６であっても、その厚みの違いを吸収して確実に挟持できる。摩擦係数が高いことも合わせて、差し込んだメダル受皿２２が溝部２４からずり落ち難くなる。したがって、遊技者は手で収容箱３６を支えなくてもメダルの出し入れが容易に行える。
【００６８】
（ｆ３）実施例１〜５では、溝部２４の内壁を様々に構成した｛図２や図８等を参照｝。この形態に代えて、図１０（Ａ）に示すように溝部２４の上側面２４ａには開閉可能な蓋体２４ｍを備えてもよい。蓋体２４ｍの裏側面（図面右側面）には弾性部材２４ｎ（例えばバネやゴム等）を備える。こうして構成した蓋体２４ｍによれば、通常は図１０（Ａ）のように溝部２４を隠す。しかし、収容箱３６の縁３６ａを差し込むと図１０（Ｂ）に示すような状態となり、弾性部材２４ｎの弾性力によって縁３６ａを挟み付ける。また蓋体２４ｍの先端部分が縁３６ａの上面と接触するので、摩擦力も働く。差し込んだメダル受皿２２は溝部２４からずり落ち難くなり、当該溝部２４から引き抜き難くなる。したがって、遊技者は手で収容箱３６を支えなくてもメダルの出し入れが容易に行える。
【図面の簡単な説明】
【００６９】
【図１】スロットマシンの構成例を示す斜視図である。
【図２】メダル受皿の構成例を示す図である。
【図３】メダル受皿に収容箱を引っ掛ける例を説明する図である。
【図４】溝部に収容箱を引っ掛ける条件を説明する模式図である。
【図５】メダル受皿の構成例を示す図である。
【図６】メダル受皿の構成例を示す図である。
【図７】メダル受皿の構成例を示す図である。
【図８】溝部の構成例を示す断面図である。
【図９】弾性部材で収容箱の縁を挟持する例を示す断面図である。
【図１０】溝部に蓋体を備えた例を示す断面図である。
【符号の説明】
【００７０】
１０  スロットマシン（遊技機）
１２  液晶表示器
１４  リール
１６  表示部
１８  投入口
２０  払出口
２２  メダル受皿（受皿）
２２ａ  内壁
２４  溝部
２４ａ  上側面（内壁）
２４ｂ  下側面（内壁）
２４ｃ  テーパー部
２４ｄ，２４ｅ  突起部
２４ｆ  切欠部
２４ｇ  ゴムシート
２４ｈ  ヤスリ面
２４ｉ  凸部
２４ｊ  凹部
２４ｋ  弾性部材
２４ｍ  蓋体
２４ｎ  弾性部材
２８  停止ボタン
３０  始動レバー
３２  ベットボタン
３４  カバー部材（溝部）
３６  収容箱
３６ａ  縁
Ｌ２  距離（開口幅）
Ｌ４，Ｌ６，Ｌ８  距離
Ｐ２，Ｐ４，Ｐ６，Ｐ８  位置
θ，θ１，θ２  角度
【図１】
0004654397.tif 000002
【図２】
0004654397.tif 000003
【図３】
0004654397.tif 000004
【図４】
0004654397.tif 000005
【図５】
0004654397.tif 000006
【図６】
0004654397.tif 000007
【図７】
0004654397.tif 000008
【図８】
0004654397.tif 000009
【図９】
0004654397.tif 000010
【図１０】
0004654397.tif 000011